(57)【要約】【課題】  薄型化が可能で、しかも、アクチュエータがＦＰＣの引き回しによって動くことのない、新規なＦＰＣ用コネクタを提供する。【解決手段】  操作片部４１の一側に半田テール４２が延び、他側にＦＰＣ受入空洞２２に配置される接触ビーム４３が延びている第１の端子４０と、ＦＰＣ受入空洞２２に配置される接触ビーム６１の一側に半田テール６２が延び、他側に絶縁ハウジング２０と係合して固定される固定片部６４が延びている第２の端子６０を有する。第１の端子４０の接触ビーム４３と第２の端子６０の接触ビーム６１がＦＰＣ受入空洞２２で所定の間隔で対向している。第１の端子４０の操作片部４１と第２の端子６０の固定片部６４が交互に並んで、アクチュエータ８０のカム受入空洞７０を形成する。アクチュエータ８０のカム８３がカム受入空洞７０に配置されて、第１の端子４０の操作片部４１を、第２の端子６０の固定片部６４に対して移動できる自由状態と、移動できない固定状態とに変化するようにカム８３の姿勢を変化させる。【選択図】  図１
2005142144.tif 000002
【特許請求の範囲】
【請求項１】
ＦＰＣ受入空洞（２２）が形成されている絶縁ハウジング（２０）と、
ＦＰＣ受入空洞（２２）に接触ビーム（４３、６１）が配置されるようにして絶縁ハウジング（２０）に並列して装着されている複数の端子（４０、６０）と、
ＦＰＣ受入空洞（２２）に挿入されたＦＰＣ（１２）と端子（４０、６０）の接触ビーム（４３、６１）の間で所定の接触圧が形成されるように操作するアクチュエータ（８０）とを備えているＦＰＣ用コネクタ（１０）において、
前記複数の端子が、アクチュエータ（８０）で操作される操作片部（４１）の一側に半田テール（４２）が延び、他側にＦＰＣ受入空洞（２２）に配置される接触ビーム（４３）が延びている第１の端子（４０）と、
ＦＰＣ受入空洞（２２）に配置される接触ビーム（６１）の一側に半田テール（６２）が延び、他側に絶縁ハウジング（２０）と係合して固定される固定片部（６４）が延びている第２の端子（６０）を含んでおり、
第１の端子（４０）の接触ビーム（４３）と第２の端子（６０）の接触ビーム（６１）がＦＰＣ受入空洞（２２）で所定の間隔で対向していると共に、第１の端子（４０）の操作片部（４１）と第２の端子（６０）の固定片部（６４）が端子の並列方向で交互に並んで、アクチュエータ（８０）のカム受入空洞（７０）を形成し、
アクチュエータ（８０）のカム（８３、８５）がカム受入空洞（７０）に配置されて、第１の端子（４０）の操作片部（４１）を、第２の端子（６０）の固定片部（６４）に対して移動できる自由状態と、第２の端子（６０）の固定片部（６４）に対して移動できない固定状態とに変化するようにカム（８３、８５）の姿勢を変化できるようにしたことを特徴とするＦＰＣ用コネクタ。
【請求項２】
第１の端子（４０）の接触ビーム（４３）に、ＦＰＣ（１２）の一側面の接点パッドに係合するコンタクト（４６）が突出して設けられている請求項１に記載のＦＰＣ用コネクタ。
【請求項３】
第２の端子（６０）の接触ビーム（６１）に、ＦＰＣ（１２）の他側面の接点パッドに係合するコンタクト（６６）が突出して設けられている請求項１または２に記載のＦＰＣ用コネクタ。
【請求項４】
第２の端子（６０）の固定片部（６４）は、この固定片部（６４）が延びる方向に開いているＵ字状切欠部（６５）を有し、このＵ字状切欠部（６５）と、第１の端子（４０）の操作片部（４１）が交互に並んでカム受入空洞（７０）を形成している請求項１に記載のＦＰＣ用コネクタ。
【請求項５】
第１の端子（４０）の操作片部（４１）に、カム受入空洞（７０）の入り口に突出して、カム（８３、８５）の脱出を阻止する脱出阻止突片（４４）が設けられている請求項１または４に記載のＦＰＣ用コネクタ。
【請求項６】
第２の端子（６０）は、アクチュエータ（８０）が組み付けられた後に完全に装着されて、アクチュエータ（８０）の脱落が起こらないようにしてある請求項４に記載のＦＰＣ用コネクタ。
【請求項７】
ＦＰＣ受入空洞（２２）が形成されている絶縁ハウジング（２０）と、
ＦＰＣ受入空洞（２２）に接触ビーム（４３）が配置されるようにして絶縁ハウジング（２０）に並列して装着されている複数の端子（４０）と、
ＦＰＣ受入空洞（２２）に挿入されたＦＰＣ（１２）と端子（４０）の接触ビーム（４３）の間で所定の接触圧が形成されるように操作するアクチュエータ（８０）とを備えているＦＰＣ用コネクタ（１０）において、
前記複数の端子は、前記アクチュエータ（８０）で操作される操作片部（４１）の一側に半田テール（４２）が延び、他側に前記ＦＰＣ受入空洞（２２）に配置される接触ビーム（４３）が延びている第１の端子（４０）を含んでおり、
前記第１の端子（４０）の中間部を構成している操作片部（４１）が、アクチュエータ（８０）の操作で固定状態と自由状態の間で状態変化ができるようにしてあることを特徴とするＦＰＣ用コネクタ。
【請求項８】
ＦＰＣをＦＰＣ受入空洞（２２）に挿入して行くと、第１の端子（４０）の接触ビーム（４３）と操作片部（４１）は弾性変形して持ち上げられることを特徴とする請求項７記載のＦＰＣ用コネクタ。
【請求項９】
前記複数の端子は、ＦＰＣ受入空洞（２２）に配置される接触ビーム（６１）の一側に半田テール（６２）が延び、他側に絶縁ハウジング（２０）と係合して固定される固定片部（６４）が延びている第２の端子（６０）を更に含んでいる請求項７に記載のＦＰＣ用コネクタ。
【請求項１０】
第１の端子（４０）の接触ビーム（４３）に、ＦＰＣ（１２）の一側面の接点パッドに係合するコンタクト（４６）が突出して設けられている請求項７に記載のＦＰＣ用コネクタ。
【請求項１１】
第２の端子（６０）の接触ビーム（６１）に、ＦＰＣ（１２）の他側面の接点パッドに係合するコンタクト（６６）が突出して設けられている請求項９に記載のＦＰＣ用コネクタ。
【請求項１２】
第２の端子（６０）の固定片部（６４）は、この固定片部（６４）が延びる方向に開いているＵ字状切欠部（６５）を有し、このＵ字状切欠部（６５）と、第１の端子（４０）の操作片部（４１）が交互に並んでカム受入空洞（７０）を形成している請求項９に記載のＦＰＣ用コネクタ。
【請求項１３】
第１の端子（４０）の操作片部（４１）に、カム受入空洞（７０）の入り口に突出して、カム（８３、８５）の脱出を阻止する脱出阻止突片（４４）が設けられている請求項１２に記載のＦＰＣ用コネクタ。
【請求項１４】
第２の端子（６０）は、アクチュエータ（８０）が組み付けられた後に完全に装着されて、アクチュエータ（８０）の脱落が起こらないようにしてある請求項１３に記載のＦＰＣ用コネクタ。
【請求項１５】
ＦＰＣ受入空洞（１２２）が形成されている絶縁ハウジング（１２０）と、
ＦＰＣ受入空洞（１２２）に接触ビーム（１４３、１６１）が配置されるようにして絶縁ハウジング（１２０）に並列して装着されている複数の端子（１４０、１６０）と、
ＦＰＣ受入空洞（１２２）に挿入されたＦＰＣ（１１２）と端子（１４０、１６０）の接触ビーム（１４３、１６１）の間で所定の接触圧が形成されるように操作するアクチュエータ（１８０）とを備えているＦＰＣ用コネクタ（１１０）において、
前記複数の端子が、アクチュエータ（１８０）で操作される横Ｕ字状の操作片部（１４１）の下部一側に半田テール（１４２）が延び、下部他側にＦＰＣ受入空洞（１２２）に配置される接触ビーム（１４３）が延びている第１の端子（１４０）と、
横Ｕ字状の固定片部（１６４）の上部一側に接触ビーム（１６１）が延びていると共に、固定片部（１６４）の下部に、前記接触ビーム（１６１）の延びる方向に半田テール（１６２）が延び、反対方向にカム受片部（１６８）が延びている第２の端子（１６０）とを含んでおり、
第１の端子（１４０）の接触ビーム（１４３）と第２の端子（１６０）の接触ビーム（１６１）がＦＰＣ受入空洞（１２２）で所定の間隔で対向していると共に、第１の端子（１４０）の操作片部（１４１）と第２の端子（１６０）のカム受片部（１６８）が端子の並列方向で交互に並んでアクチュエータ（１８０）のカム（１８３）を受け入れるカム受入空洞（１７０）を形成し、
アクチュエータ（１８０）のカム（１８３）がカム受入空洞（１８３）に配置されて、第１の端子（１４０）の操作片部（１４１）を、第２の端子（１６０）の固定片部（１６４）に対して移動できる自由状態と、第２の端子の固定片部（１６４）に対して移動できない固定状態とに変化できるように、カム（１８３）の姿勢を変化できるようにしたことを特徴とするＦＰＣ用コネクタ。
【請求項１６】
第１の端子（１４０）の横Ｕ字状の操作片部（１４１）は、半円状凹部（１５０）が設けられ、アクチュエータ（１８０）の設けた円柱ピン（１８７）が係合している請求項１５に記載のＦＰＣ用コネクタ。
【請求項１７】
第２の端子（１６０）の接触ビーム（１６１）は、固定片部（１６４）からオフセット部（１６３）を介して延びて、第１の端子（１４０）の接触ビーム（１４３）と同一面内で対向している請求項１５又は１６に記載のＦＰＣ用コネクタ。
【請求項１８】
第１の端子（１４０）の接触ビーム（１４３）に、第２の端子（１６０）の接触ビーム（１６１）に向かってコンタクト（１４６）が突出している請求項１７に記載のＦＰＣ用コネクタ。
【請求項１９】
第２の端子（１６０）の接触ビーム（１６１）に、第１の端子（１４０）の接触ビーム（１４３）に向かってコンタクト（１６x６）が突出している請求項１８に記載のＦＰＣ用コネクタ。
【発明の詳細な説明】
【技術分野】
【０００１】
この発明は、ＦＰＣ（Flexible Printed Circuit）、ＦＦＣ（Flexible Flat Cable）などと一般に呼ばれている平型柔軟ケーブル（これらを代表してこの明細書では単に「ＦＰＣ」と言う）を接続するためのＦＰＣ用コネクタに関する。
【背景技術】
【０００２】
従来、このＦＰＣ用コネクタには幾多の提案が成されているが、それらは、一般に、絶縁ハウジングと、複数の端子と、アクチュエータとで構成されている。
【０００３】
より詳しく述べると、ＦＰＣ受入空洞が形成されている絶縁ハウジングと、ＦＰＣ受入空洞に接触ビームが配置されるようにして絶縁ハウジングに並列して装着されている複数の端子と、ＦＰＣ受入空洞に挿入されたＦＰＣと端子の接触ビームの間で所定の接触圧が形成されるように操作するアクチュエータとを備えている。
【０００４】
アクチュエータには、通常、端子の接触ビームに作用するカムが設けられていたが、ＦＰＣの引き回しによってアクチュエータが意に反して動いたり、コネクタとしての製品高さが高くなりがちであった。
【０００５】
そこで、図３１に示すような端子３００を用いて、アクチュエータ４００がＦＰＣの引き回しによって影響を受けないようにしたもの等が提案されるに至っている（特許文献１〜３参照）。
図３１に示されているように、端子３００は、固定片部３０１から連結片部３０２が立ち上がり、連結片部３０２の上端一側から絶縁ハウジング５００のＦＰＣ受入空洞５０１に配置される接触ビーム３０３が延びている。そして、連結片部３０２の上端他側からは操作ビーム３０４が延び、この操作ビーム３０４をアクチュエータ４００で操作することで連結片部３０２を弾性変形させ、結果として接触ビーム３０３がＦＰＣ受入空洞５０１に挿入されるＦＰＣ（図示されていない）に対して所定の接触圧で当接、係合するようにしている。
【０００６】
【特許文献１】特開２００２−１９０３６０号公報  （段落００２１、００２２、００２５、００２６、図４、６）
【特許文献２】特開２００３−４５５８１号公報  （図３）
【特許文献３】実開平３−１０３５７８号公報  （図３、４）
【発明の開示】
【発明が解決しようとする課題】
【０００７】
この発明も、薄型化が可能で、しかも、アクチュエータがＦＰＣの引き回しによって動くことのない、新規なＦＰＣ用コネクタを提供することを目的としている。
【課題を解決するための手段】
【０００８】
この発明のＦＰＣ用コネクタは、ＦＰＣ受入空洞が形成されている絶縁ハウジングと、
ＦＰＣ受入空洞に接触ビームが配置されるようにして絶縁ハウジングに並列して装着されている複数の端子と、
ＦＰＣ受入空洞に挿入されたＦＰＣと端子の接触ビームの間で所定の接触圧が形成されるように操作するアクチュエータとを備えているＦＰＣ用コネクタにおいて、
前記複数の端子が、アクチュエータで操作される操作片部の一側に半田テールが延び、他側にＦＰＣ受入空洞に配置される接触ビームが延びている第１の端子と、
ＦＰＣ受入空洞に配置される接触ビームの一側に半田テールが延び、他側に絶縁ハウジングと係合して固定される固定片部が延びている第２の端子を含んでおり、
第１の端子の接触ビームと第２の端子の接触ビームがＦＰＣ受入空洞で所定の間隔で対向していると共に、第１の端子の操作片部と第２の端子の固定片部が端子の並列方向で交互に並んで、アクチュエータのカム受入空洞を形成し、
アクチュエータのカムがカム受入空洞に配置されて、第１の端子の操作片部を、第２の端子の固定片部に対して移動できる自由状態と、第２の端子の固定片部に対して移動できない固定状態とに変化するようにカムの姿勢を変化できるようにしたことを特徴とするＦＰＣ用コネクタである。
【０００９】
また、ＦＰＣ受入空洞が形成されている絶縁ハウジングと、
ＦＰＣ受入空洞に接触ビームが配置されるようにして絶縁ハウジングに並列して装着されている複数の端子と、
ＦＰＣ受入空洞に挿入されたＦＰＣと端子の接触ビームの間で所定の接触圧が形成されるように操作するアクチュエータとを備えているＦＰＣ用コネクタにおいて、
前記複数の端子は、前記アクチュエータで操作される操作片部の一側に半田テールが延び、他側に前記ＦＰＣ受入空洞に配置される接触ビームが延びている第１の端子を含んでおり、
前記第１の端子の中間部を構成している操作片部が、アクチュエータの操作で固定状態と自由状態の間で状態変化ができるようにしてあることを特徴とするＦＰＣ用コネクタである。
【００１０】
また、ＦＰＣ受入空洞が形成されている絶縁ハウジングと、
ＦＰＣ受入空洞に接触ビームが配置されるようにして絶縁ハウジングに並列して装着されている複数の端子と、
ＦＰＣ受入空洞に挿入されたＦＰＣと端子の接触ビームの間で所定の接触圧が形成されるように操作するアクチュエータとを備えているＦＰＣ用コネクタにおいて、
前記複数の端子が、アクチュエータで操作される横Ｕ字状の操作片部の下部一側に半田テールが延び、下部他側にＦＰＣ受入空洞に配置される接触ビームが延びている第１の端子と、
横Ｕ字状の固定片部の上部一側に接触ビームが延びていると共に、固定片部の下部に、前記接触ビームの延びる方向に半田テールが延び、反対方向にカム受片部が延びている第２の端子とを含んでおり、
第１の端子の接触ビームと第２の端子の接触ビームがＦＰＣ受入空洞で所定の間隔で対向していると共に、第１の端子の操作片部と第２の端子のカム受片部が端子の並列方向で交互に並んでアクチュエータのカムを受け入れるカム受入空洞を形成し、
アクチュエータのカムがカム受入空洞に配置されて、第１の端子の操作片部を、第２の端子の固定片部に対して移動できる自由状態と、第２の端子の固定片部に対して移動できない固定状態とに変化できるように、カムの姿勢を変化できるようにしたことを特徴とするＦＰＣ用コネクタである。
【発明の効果】
【００１１】
この発明によれば、アクチュエータは、端子の接触ビームに直接作用しないのでコネクタとしての製品高さを低くし、薄型化を図ることができる。そして、アクチュエータをＦＰＣの引き回しで影響を受けない場所に配置できるので、アクチュエータの意に反する動きをなくし、接続の信頼性を高めることができる。またＦＰＣは上面及び下面の両面に接点パッドを設けることができるので省スペース化を図ることができる。
【発明を実施するための最良の形態】
【００１２】
以下、この発明の実施の形態を添付の図を参照して説明する。
【００１３】
第１の実施形態のＦＰＣ用コネクタ１０は、図３〜５に示すような外観をしている。図３、４の状態における断面図が図１に示され、図５の状態における断面図が図２に示されている。
【００１４】
このＦＰＣ用コネクタ１０は、絶縁ハウジング２０と、２種類の端子、即ち、第１の端子４０及び第２の端子６０と、アクチュエータ８０とで構成されている。図１、２が、それぞれ２つの図を含んでいるのは、第１の端子４０と第２の端子６０のそれぞれに沿って示すためである。
【００１５】
絶縁ハウジング２０は、絶縁性のプラスチックを成形したもので、扁平で細長い箱状をしており、前端２１側にＦＰＣ受入空洞２２が形成されて、前端２１で開口している。頂壁２３が前端２１から中間部まで延びて、後端２４側には頂壁２３が存在していない。後端２４側は、底壁２５と互いに対向する両側壁２６で囲まれて、外部に開いているアクチュエータ組み付け空間２７を形成している。また、頂壁２３の下面と底壁２５の上面には、それぞれ、複数の端子装着溝２８、２９及び３０、３１が並列して形成されており、前端２１側及び後端２４側から、以下で説明する第１の端子４０及び第２の端子６０を装着できるようにされている。
【００１６】
第１の端子４０及び第２の端子６０は、それぞれ、薄金属板を打ち抜いて成形したもので、図６、７には第１の端子４０が、そして、図８、９には第２の端子６０が示されている。図示のような形状の第１の端子４０と第２の端子６０が、絶縁ハウジング２０に交互に装着されている。
【００１７】
第１の端子４０は、細長い操作片部４１を中間に有し、この操作片部４１の一側から半田テール４２が操作片部４１と同一面内で下方に向かって延び、操作片部４１の他側からは横Ｌ字状の接触ビーム４３が同じく操作片部４１と同一面内で上方に向かって延びた形状をしている。操作片部４１の中間部上縁には突片４４が設けられて、接触ビーム４３の基部と協働してＵ字状の凹部４５を形成している。また、接触ビーム４３の先端下縁にはコンタクト４６が突出している。
【００１８】
この第１の端子４０は、絶縁ハウジング２０の後端２４側から装着されている。操作片部４１が底壁２５に形成した端子装着溝２８に収容されると共に、接触ビーム４３が頂壁２３に形成した端子装着溝２９に収容されている。操作片部４１の半田テール４２に近い位置に、湾曲部４７（図６）が形成されており、端子装着溝２８の内壁と接するようになっており、装着された第１の端子４０は、端子装着溝２８の内壁との摩擦係合によって保持されている。かくして、半田テール４２は、絶縁ハウジング２０の後端２４から外側に突出して、その下縁が底壁２５の下面とほぼ面一となっている。また、接触ビーム４３は、絶縁ハウジング２０のＦＰＣ受入空洞２２において、頂壁２３の下面に沿って片持ち梁状となって配置されている。
【００１９】
一方、第２の端子６０は、細長い接触ビーム６１を中間に有しており、この接触ビーム６１の一側に半田テール６２が接触ビーム６１と同一面内で延びている。また、接触ビーム６１の他側には、オフセット部６３を介して幅広の固定片部６４が接触ビーム６１と平行な面内で延びている。固定片部６４は、オフセット部６３とで横Ｈ字状となっており、Ｕ字状切欠部６５が固定片部６４の延びる方向に開いている。また、接触ビーム６１の上縁中間部には、コンタクト６６が突出している。
【００２０】
第２の端子６０は、絶縁ハウジング２０の前端２１側から装着されている。接触ビーム６１が底壁２５に形成した端子装着溝３０に収容されるとともに、固定片部６４が、頂壁２３に形成した端子装着溝３１と底壁２５に形成した端子装着溝３２に収容され、固定片部６４の上縁及び下縁がそれぞれの溝底に係合して固定状態となっている。接触ビーム６１を収容した端子装着溝３０は、前記第１の端子４０の操作片部４１を収容した端子装着溝２８と同一の面内に形成されている。
【００２１】
第２の端子６０の接触ビーム６１にオフセット部６３を介在させた結果、第１の端子４０の接触ビーム４３に設けたコンタクト４６と、第２の端子６０の接触ビーム６１に設けたコンタクト６６は、ＦＰＣ受入空洞２２において、所定の間隔を保って、同一の面内で上下に対向している。
【００２２】
また、第１の端子４０の操作片部４１と第２の端子６０の固定片部６４は、ＦＰＣ受入空洞２２の奥で絶縁ハウジング２０の長手方向で交互に並んでいる。そして、第１の端子４０の操作片部４１の凹部４５と、第２の端子６０の固定片部６４のＵ字状切欠部６５が協働して、以下で説明するアクチュエータ８０のカム８３を受け入れるカム受入空洞７０を形成している。カム受入空洞７０は、絶縁ハウジング２０の後端２４に向かって開いており、そこに、第１の端子４０の操作片部４１に設けた突片４４が突出している。
【００２３】
アクチュエータ８０は、絶縁ハウジング２０と同様の絶縁性のプラスチックを図１０、１１のように成形したもので、細長い板状となっている。前縁８１の内側に、前縁８１に沿って複数の窓孔８２が板厚方向で貫通して設けられ、前縁８１から窓孔８２までの部分をカム８３としている。窓孔８２は、第２の端子６０の固定片部６４にＵ字状切欠部を形成した結果として上部に残り、アクチュエータ組み付け空間２７に突出している係合突片６７の位置に対応するように設けてある。また、更に、アクチュエータ組み付け空間２７に突出している第１の端子４０の操作片部４１に設けた突片４４の位置に対応するように、カム８３に隣接させて逃げ凹部８４も設けてある。
【００２４】
図１２と１３は、アクチュエータ８０を組み付ける様子を示している。即ち、この実施形態のＦＰＣ用コネクタ１０は、絶縁ハウジング２０に、先ず、第１の端子４０を装着した後、第２の端子６０を図１２のように途中の位置まで仮装着し、この段階で、アクチュエータ８０を第１の端子４０の操作片部４１に形成されている凹部４５にカム８３が収容されるようにして組み付けるようにしている。アクチュエータ８０を組み付けた後に、第２の端子６０を図１３のように完全に装着して固定すると、第２の端子６０の係合突片６７がアクチュエータ８０の窓孔８２に突入すると共に、第１の端子４０の操作片部４１と第２の端子６０の固定片部６４とで協働して形成されるカム受入空洞７０の中にカム８３が収容される。そして、収容されたカム８３は、カム受入空洞７０の開口部分に突出している突片４４で脱出が阻止され、結局、組み付けられたアクチュエータ８０が脱落するのを常時阻止できるようにしてある。第１の端子４０の操作片部４１に設けた突片４４は、カム８３の脱出を阻止する脱出阻止突片を構成している。
【００２５】
組み付けられたアクチュエータ８０は、図１、３、４の起立している状態（第１状態）と、図２、５の伏せた状態（第２状態）の間で姿勢変化することができる。カム受入空洞７０に収容されているカム８３の断面形状は、この実施形態においては、各図に表れているように長円の形状をしている。アクチュエータ８０が図１、３、４の第１状態になると、カム８３は横長状態となって、カム受入空洞７０で遊合状態となる（図１参照）。これに対して、アクチュエータ８０が図２、５の第２状態となると、カム８３は縦長状態となって、カム受入空洞７０において、第２の端子６０の係合突片６７の下縁に係合すると共に、第１の端子４０の操作片部４１を絶縁ハウジング２０の底壁２５側に押し下げて、端子装着溝２８の溝底に押し付けて操作片部４１を固定するようになっている（図２参照）。
【００２６】
アクチュエータ８０の姿勢に従って変化する第１の端子４０の状態に着目する。即ち、アクチュエータ８０が第１状態では、操作片部４１は第２の端子６０の固定片部６４に対して上下方向で移動できる自由状態になる。このことは、半田テール４２が取付基板（図示せず）に半田付けされて固定された状態においては、接触ビーム４３が、固定された半田テール４２を固定点として、接触ビーム４３の長さに操作片部４１の長さを加えた長さをばね長として弾性動作することが可能であることを意味する。
【００２７】
上記に対して、アクチュエータ８０が第２状態では、操作片部４１は固定片部６４に対して移動できない固定状態に変化する。この固定状態になると、接触ビーム４３の固定点は、操作片部４１との連続部分に移動し、接触ビーム４３のみの長さをばね長として接触ビーム４３が弾性動作するようになる。
【００２８】
以上のように構成されているＦＰＣ用コネクタ１０にＦＰＣ１２を接続する様子を、図１４〜１８を参照して次に説明する。
【００２９】
接続は、図１４、１６に示されているように、アクチュエータ８０を起立した第１状態とし、絶縁ハウジング２０の前端２１で開口しているＦＰＣ受入空洞２２にＦＰＣ１２を挿入するようにして行う。この時、第１の端子４０の操作片部４１は、半田テール４２の部分を固定点とした自由状態にある。この自由状態における第１の端子４０のコンタクト４６と第２の端子６０のコンタクト６６の対向間隔は、第１の端子４０と第２の端子６０の設計によって決まるものであるが、この実施形態では、ＦＰＣ１２の厚さより若干狭い対向間隔としてある。したがって、ＦＰＣ１２をＦＰＣ受入空洞２２に挿入して行くと、第１の端子４０の接触ビーム４３と操作片部４１は弾性変形して持ち上げられる。ＦＰＣ１２を図１６のように完全に挿入すると、接触ビーム４３と操作片部４１の弾性変形の反力によって、ＦＰＣ１２を挿入状態で仮保持することができる。
【００３０】
第１の端子４０の接触ビーム４３と操作片部４１の弾性変形による持ち上がり量と反力も、第１の端子４０の設計によって決まる。したがって、ＦＰＣ１２の挿入力及び仮保持力を、ＦＰＣ１２の厚さを考慮して適度に設定することができる。また、第１の端子４０のコンタクト４６と第２の端子６０のコンタクト６６の対向間隔をＦＰＣ１２の厚さよりも広く設定して、挿入力を必要としないゼロ挿入力（ＺＩＦ）コネクタとすることもできる。
【００３１】
ＦＰＣ１２を挿入した後、アクチュエータ８０を、図１７のような中間姿勢を経て、図１５、１８に示されている、伏せた第２状態とすることで接続を完了することができる。このアクチュエータ８０の第２状態では、第１の端子４０の操作片部４１は固定状態となることから、接触ビーム４３はその基部が固定点に変化し、ばね長が短くなる。したがって、コンタクト４６はＦＰＣ１２に、より強く押し付けられるようになり、コンタクト４６とＦＰＣ１２の上面に設けられた接点パッド、並びに、第２の端子６０のコンタクト６６とＦＰＣ１２の下面に設けられた接点パッドを、電気的接続に適切な接触圧で当接、係合させることができる。
【００３２】
ＦＰＣ１２は、上面及び下面の両面に接点パッドを設けることができるので、省スペース化を図ることができる。もっとも、ＦＰＣ１２の上面のみに接点パッドを設けた場合、あるいは下面のみに接点パッドを設けた場合でも接続が可能である。
【００３３】
以上のように、このＦＰＣ用コネクタ１０では、第１の端子４０の接触ビーム４３をＦＰＣ１２の接点パッドに加圧係合させるためには、アクチュエータ８０の操作でばね長を変化（短縮）させるようにして、アクチュエータ８０及びカム８３が接触ビーム４３に直接作用しない構成としたので、ＦＰＣ用コネクタ１０の高さ方向の寸法の増大を避けることができ、コネクタの低背化に寄与することができる。
【００３４】
また、アクチュエータ８０は、ＦＰＣ１２が挿入される前端２１と反対の、ＦＰＣ１２が配置されない後端２４側に組み付けられる構成であるので、接続されたＦＰＣ１２の引き回しによる外力をアクチュエータ８０が受けないようにできる。したがって、接続の信頼性を向上することができる。
【００３５】
図１９、２０は、アクチュエータ８０のカムを変形した第２の実施形態である。この第２の実施形態では、断面がほぼ半円状のカム８５となっている。他の部分は第１の実施形態と同様であるので、同一部材には同一の符号を付して、説明は省略する。このように、カム８３、８５の形状は、第１の端子４０の操作片部４１及び第２の端子６０の固定片部６４の形状と共に決まる設計的事項である。アクチュエータ８０の姿勢変化によって、第１の端子４０の操作片部４１が自由状態と固定状態に変化し、接触ビーム４３のばね長が長短の間で変化するようにすればよいものである。
【００３６】
次に第３の実施形態を図２１〜図３０を参照して説明する。この第３の実施形態のＦＰＣ用コネクタ１１０は、第１の端子１４０と第２の端子１６０の形状が、図２４、２５に示したように、第１、第２の実施形態のものとは異なっている。また、端子１４０、１６０の形状の変化に従ってアクチュエータ１８０のカム１８３の部分が変更されている。
【００３７】
第３の実施形態のＦＰＣ用コネクタ１１０も、アクチュエータ１８０は、図２１、２５、２６の第１状態と、図２２、２３、２７、３０の第２状態の間で、図２９の中間姿勢を挟んで姿勢変化できるようになっている。
【００３８】
絶縁ハウジング１２０は、第１、第２の実施形態のものとほぼ同様で、頂壁１２３、底壁１２５、側壁１２６を有し、前端１２１で開口するＦＰＣ受入空洞１２２が設けられている。第１の端子１４０を後端１２４側から、そして第２の端子１６０を前端１２１側から、交互に装着できるように端子装着溝も設けられている。
【００３９】
第１の端子１４０は、アクチュエータ１８０で操作される操作片部１４１が横Ｕ字状にされている。操作片部１４１は、上側横辺１４１ａ、下側横辺１４１ｂと、これらの横辺を連結する縦辺１４１ｃからなる。操作片部１４１の下側横辺１４１ｂと縦辺１４１ｃが連結している部分から接触ビーム１４３が延びている。接触ビーム１４３の先端部上縁にはコンタクト１４６が突出させてある。また、操作片部１４１の下側横辺１４１ｂは上側横辺１４１ａに比べて長くされており、そしてその先端部に打ち出し突部１４８が形成されて、絶縁ハウジング１２０側の端子装着溝の溝壁に摩擦係合できるようにされている。更に、下側横辺１４１ｂの先端から半田テール１４２が延びている。
【００４０】
第１の端子１４０は、更に、操作片部１４１の上側横辺１４１ａと縦辺１４１ｃの連結している部分に、前記接触ビーム１４３の延びる方向に短い突片１４９が設けられている。また、上側横辺１４１ａの下縁（内側縁）に、半円状凹部１５０が設けられている。
【００４１】
第２の端子１６０は、絶縁ハウジング１２０に装着、固定される固定片部１６４が横Ｕ字状にされている。上下で対向している上側横辺１６４ａ、下側横辺１６４ｂと、これらの横辺を連結する縦辺１６４ｃからなる。そして、上側横辺１６４ａの先端からオフセット部１６３を介して接触ビーム１６１が延びている。接触ビーム１６１の先端部下縁にコンタクト１６６が突出させてある。また、下側横辺１６４ｂは、接触ビーム１６１より前方に突出するように延長されて、先端部に半田テール１６２が形成されている。
【００４２】
第２の端子１６０は、更に、固定片部１６４の下側横辺１６４ｂと縦辺１６４ｃの連結部分から、カム受片部１６８を構成する幅広の突片が延びている。
【００４３】
図２６、２７に表れているように、第１の端子１４０が絶縁ハウジング１２０の後端１２４側から、そして第２の端子１６０が前端１２１側から、交互に装着されている。一対の接触ビーム１４３、１６１毎に、ＦＰＣ受入空洞１２２で、同一面内で上下方向に対向している。第１の端子１４０の横Ｕ字状の操作片部１４１と第２の端子１６０のカム受片部１６８が端子の並列方向で交互に並んでカム受入空洞１７０を形成している。また、第１の端子１４０の操作片部１４１から突出させた突片１４９の上縁が、絶縁ハウジング１２０の頂壁１２３に形成した肩部１３３の内面（下面）と対向している。そして、第２の端子１６０に設けたカム受片部１６８の下縁が絶縁ハウジング１２０の底壁１２５の上面と対向している。
【００４４】
アクチュエータ１８０は、前縁１８１の厚さを、カム受入空洞１７０を形成した操作片部１４１の上側横辺１４１ａとカム受片部１６８の対向部に嵌入できる厚さとしてカム１８３を構成している。そして、操作片部１４１の上側横辺１４１ａに対応する窓孔１８２が溝１８６と、溝１８６に渡された円柱ピン１８７によって形成されている。この円柱ピン１８７が操作片部１４１の上側横辺１４１ａに形成した半円状凹部１５０に常時係合するようにしてある。
【００４５】
以上のような第３の実施形態では、アクチュエータ１８０を図２２、２３、２６、２８の第１状態にすると、カム１８３はカム受片部１６８から離れる。このため、第１の端子１４０の操作片部１４１は、第２の端子１６０の固定片部１６４に対して図の上下方向で移動できる自由状態となる。第１の端子１４０の接触ビーム１４３は、それ自体の長さに操作片部１４１の下側横辺１４１ｂの長さを加えた長さがばね長となる。これに対して、アクチュエータ１８０を図２１、２７、３０の第２状態にすると、カム１９３がカム受け片部１６８の上側に移動して、円柱ピン１８７が操作片部１４１の上側横辺１４１ａを押し上げる。この結果、突片１４９が絶縁ハウジング１２０の頂壁１２３に形成した肩部１３３に押し付けられて、操作片部１４１を第２の端子１６０の固定片部１６４に対して移動できない固定状態にする。そして、この固定状態では、第１の端子１４０の接触ビーム１４３は、それ自体の長さのみがばね長となる。
【００４６】
したがって、この第３の実施形態のＦＰＣ用コネクタ１１０も、アクチュエータ１８０を第１状態として、図２８のようにＦＰＣ１１２を低挿入力又はゼロ挿入力でＦＰＣ受入空洞１２２に挿入することができる。そして、アクチュエータ１８０を操作して図２９の中間姿勢を経て第２状態に姿勢変化させて、ＦＰＣ１１２と端子１４０、１６０を安定、確実な接続状態にすることができる。
【図面の簡単な説明】
【００４７】
【図１】第１の実施形態のＦＰＣ用コネクタの、アクチュエータが第１状態にあるときの断面図であり、（ａ）は第１の端子に沿って示した断面図、（ｂ）は第２の端子に沿って示した断面図である。
【図２】第１の実施形態のＦＰＣ用コネクタの、アクチュエータが第２状態にあるときの断面図であり、（ａ）は第１の端子に沿って示した断面図、（ｂ）は第２の端子に沿って示した断面図である。
【図３】アクチュエータが第１状態にあるときの、第１の実施形態のＦＰＣ用コネクタの、後方から見た斜視図である。
【図４】アクチュエータが第１状態にあるときの、第１の実施形態のＦＰＣ用コネクタの、前方から見た斜視図である。
【図５】アクチュエータが第２状態にあるときの、第１の実施形態のＦＰＣ用コネクタの、前方から見た斜視図である。
【図６】第１の実施形態における、第１の端子の斜視図である。
【図７】同じく、第１の端子の正面図である。
【図８】第１の実施形態における、第２の端子の斜視図である。
【図９】同じく、第２の端子の正面図である。
【図１０】第１の実施形態における、アクチュエータの上方から見た斜視図である。
【図１１】同じく、アクチュエータの下方から見た斜視図である。
【図１２】アクチュエータを組み付ける様子を説明する図で、第２の端子が途中の位置まで仮装着された状態の断面図である。
【図１３】第２の端子が完全に装着された状態の断面図である。
【図１４】第１の実施形態のＦＰＣ用コネクタにＦＰＣが挿入された状態の斜視図である。
【図１５】同じく、挿入されたＦＰＣの接続を完了した状態の斜視図である。
【図１６】図１４の断面図であり、（ａ）は第１の端子に沿って示した断面図、（ｂ）は第２の端子に沿って示した断面図である。
【図１７】アクチュエータが図１４から図１５の状態に姿勢変化する途中の断面図であり、（ａ）は第１の端子に沿って示した断面図、（ｂ）は第２の端子に沿って示した断面図である。
【図１８】図１５の断面図であり、（ａ）は第１の端子に沿って示した断面図、（ｂ）は第２の端子に沿って示した断面図である。
【図１９】この発明の第２の実施形態のＦＰＣ用コネクタの、アクチュエータが第１状態のときの断面図である。
【図２０】同じく、第２の実施形態アクチュエータが第２状態のときの断面図である。
【図２１】この発明の第３の実施形態のＦＰＣ用コネクタの、アクチュエータが第２状態にあるときの後方から見た斜視図である。
【図２２】同じく、第３の実施形態のＦＰＣ用コネクタの、アクチュエータが第１状態にあるときの後方から見た斜視図である。
【図２３】同じく、第３の実施形態のＦＰＣ用コネクタの、アクチュエータが第１状態にあるときの前方から見た斜視図である。
【図２４】第３の実施形態における、第１の端子の斜視図である。
【図２５】第３の実施形態における、第２の端子の斜視図である。
【図２６】第３の実施形態のＦＰＣ用コネクタの、アクチュエータが第１状態にあるときの断面図であり、（ａ）は第１の端子に沿って示した断面図、（ｂ）は第２の端子に沿って示した断面図である。
【図２７】第３の実施形態のＦＰＣ用コネクタの、アクチュエータが第２状態にあるときの断面図であり、（ａ）は第１の端子に沿って示した断面図、（ｂ）は第２の端子に沿って示した断面図である。
【図２８】アクチュエータが第１状態にある第３の実施形態のＦＰＣ用コネクタにＦＰＣが挿入された状態の断面図であり、（ａ）は第１の端子に沿って示した断面図、（ｂ）は第２の端子に沿って示した断面図である。
【図２９】アクチュエータを第２状態に姿勢変化する途中の中間姿勢の断面図であり、（ａ）は第１の端子に沿って示した断面図、（ｂ）は第２の端子に沿って示した断面図である。
【図３０】アクチュエータを第２状態とした第３の実施形態のＦＰＣ用コネクタの断面図であり、（ａ）は第１の端子に沿って示した断面図、（ｂ）は第２の端子に沿って示した断面図である。
【図３１】従来公知のＦＰＣ用コネクタの断面図である。
【符号の説明】
【００４８】
１０、１１０          ＦＰＣ用コネクタ
１２、１１２          ＦＰＣ
２０、１２０          絶縁ハウジング
２１、１２１          前端
２２、１２２          ＦＰＣ受入空洞
２３、１２３          頂壁
２４、１２４          後端
２５、１２５          底壁
２６、１２６          側壁
２７                  アクチュエータ組み付け空間
２８                  端子装着溝
２９                  端子装着溝
３０                  端子装着溝
３１                  端子装着溝
３２                  端子装着溝
１３３                肩部
４０、１４０          第１の端子
４１、１４１          操作片部
１４１ａ              上側横辺
１４１ｂ              下側横辺
１４１ｃ              縦辺
４２、１４２          半田テール
４３、１４３          接触ビーム
４４                  突片
４５                  凹部
４６、１４６          コンタクト
４７                  湾曲部
１４８                打ち出し突部
１４９                突片
１５０                半円状凹部
６０、１６０          第２の端子
６１、１６１          接触ビーム
６２、１６２          半田テール
６３、１６３          オフセット部
６４、１６４          固定片部
１６４ａ              上側横辺
１６４ｂ              下側横辺
１６４ｃ              縦辺
６５                  Ｕ字状切欠部
６６、１６６          コンタクト
６７                  係合突片
１６８                カム受片部
７０、１７０          カム受入空洞
８０、１８０          アクチュエータ
８１、１８１          前縁
８２、１８２          窓孔
８３、１８３          カム
８４                  逃げ凹部
８５                  カム
１８６                溝
１８７                円柱ピン
【図１】
2005142144.tif 000003
【図２】
2005142144.tif 000004
【図３】
2005142144.tif 000005
【図４】
2005142144.tif 000006
【図５】
2005142144.tif 000007
【図６】
2005142144.tif 000008
【図７】
2005142144.tif 000009
【図８】
2005142144.tif 000010
【図９】
2005142144.tif 000011
【図１０】
2005142144.tif 000012
【図１１】
2005142144.tif 000013
【図１２】
2005142144.tif 000014
【図１３】
2005142144.tif 000015
【図１４】
2005142144.tif 000016
【図１５】
2005142144.tif 000017
【図１６】
2005142144.tif 000018
【図１７】
2005142144.tif 000019
【図１８】
2005142144.tif 000020
【図１９】
2005142144.tif 000021
【図２０】
2005142144.tif 000022
【図２１】
2005142144.tif 000023
【図２２】
2005142144.tif 000024
【図２３】
2005142144.tif 000025
【図２４】
2005142144.tif 000026
【図２５】
2005142144.tif 000027
【図２６】
2005142144.tif 000028
【図２７】
2005142144.tif 000029
【図２８】
2005142144.tif 000030
【図２９】
2005142144.tif 000031
【図３０】
2005142144.tif 000032
【図３１】
2005142144.tif 000033